(57)【特許請求の範囲】
【請求項１】
棟側嵌合部および軒側嵌合部を有し、相互に嵌合させて形成する金属折板からなる横葺屋根用の屋根材であって、
棟側には、棟側の縁部に設置された先端水平部と、該先端水平部に連なって軒側に傾斜して表方向に曲げられた棟側傾斜部と、該棟側傾斜部に連なる棟側水平部と、該棟側水平部に連なって裏方向に曲げられた棟側垂直部と、該棟側垂直部に連なって棟方向および軒方向に曲げられた凹部と、該凹部に連なる中央水平部が形成され、
軒側には、前記中央水平部に連なって表方向に曲げられた立ち上がり部と、該立ち上がり部に連なって裏方向に曲げ戻された立ち下がり部と、該立ち下がり部に連なって表方向に曲げ戻された軒側傾斜部と、該軒側傾斜部に連なる軒側水平部と、該軒側水平部に連なって裏方向に曲げられた軒側垂直部と、該軒側垂直部に連なって棟方向に曲げられた突出部が形成され、
一方の屋根材の前記凹部に他方の屋根材の前記突出部が嵌合自在であって、
一方の屋根材の前記凹部に他方の屋根材の前記突出部が嵌合した際、一方の屋根材の前記棟側傾斜部に他方の屋根材の前記軒側傾斜部が当接することを特徴とする屋根材。
【請求項２】
一方の屋根材の前記棟側傾斜部に他方の屋根材の前記軒側傾斜部が当接した際、一方の屋根材の前記棟側傾斜部の法線に対し、他方の屋根材の前記立ち下がり部が、表側に傾斜することを特徴とする請求項１記載の屋根材。
【請求項３】
棟側嵌合部および軒側嵌合部を有し、相互に嵌合させて形成する金属折板からなる横葺屋根用の屋根材であって、
棟側には、棟側の縁部に設置された先端水平部と、該先端水平部に連なって軒側に傾斜して表方向に曲げられた棟側傾斜部と、該棟側傾斜部に連なる棟側水平部と、該棟側水平部に連なって裏方向に曲げられた棟側垂直部と、該棟側垂直部に連なって棟方向および軒方向に曲げられた凹部と、該凹部に連なる中央水平部が形成され、前記棟側水平部が裏方向に略円弧状または略Ｖ字状または略台形状に陥没する棟側陥没部を具備し、
軒側には、前記中央水平部に連なって表方向に曲げられた立ち上がり部と、該立ち上がり部に連なって裏方向に曲げ戻された立ち下がり部と、該立ち下がり部に連なって表方向に曲げ戻された軒側傾斜部と、該軒側傾斜部に連なる軒側水平部と、該軒側水平部に連なって裏方向に曲げられた軒側垂直部と、該軒側垂直部に連なって棟方向に曲げられた突出部が形成され、
一方の屋根材の前記凹部に他方の屋根材の前記突出部が嵌合自在であって、
一方の屋根材の前記凹部に他方の屋根材の前記突出部が嵌合した際、一方の屋根材の前記棟側陥没部に、他方の屋根材の前記立ち下り部と前記軒側傾斜部が形成する屈曲部が嵌合することを特徴とする屋根材。
【請求項４】
前記立ち下り部と前記軒側傾斜部が形成する屈曲部が、裏方向に陥没する略円弧状または略Ｖ字状または略台形状であること特徴とする請求項１〜３の何れかに記載の屋根材。
【請求項５】
棟側の縁部に略Ｕ字状または略Ｖ字状の先端嵌合部と、前記棟側嵌合部と前記立ち上がり部の間に、略Ｓ字状の中央嵌合部を有し、一方の屋根材の前記先端嵌合部と他方の屋根材の中央嵌合部が嵌合自在であることを特徴とする請求項１〜４の何れかに記載の屋根材。
【請求項６】
前記凹部に、水密用の棒状体が配置されたことを特徴とする請求項１〜５の何れかに記載の屋根材。
【発明の詳細な説明】
【０００１】
【発明の属する技術分野】
本発明は，建築構造物の金属製の屋根材，特に，落雪防止機能を有す横葺屋根用の屋根材に関する。
【０００２】
【従来の技術】
従来、金属板を折り曲げて成形する横葺屋根用の屋根材において、落雪防止機能を奏すため表方向に立ち上がり部が設けられていた。
【０００３】
図１０は、実用新案登録第３００８８６８号公報に開示された落雪防止機能を有する屋根材の断面図である。図中右方向が棟方向（上方向）、左方向が軒方向（下方向）である。棟側の縁に略Ｓ字状に表方向に突出した上縁被接部１００３が、上縁被接部１００３に連なる中央水平部１０１０が、中央水平部１０１０に連なって三角形状に表方向に突出した突起部１００２が、突起部１００２に連なる軒側水平部１００６が、軒側水平部１００６に連なり、軒側の縁に略Ｖ字状の下縁被接部１００１がそれぞれ形成されている。
【０００４】
したがって、棟側に設置された第一の屋根材の上縁被接部１００３に、第二の屋根材の下縁被接部１００１を嵌合して屋根を葺くことができ、突起部１００２が積雪の滑動を静止することで落雪を防止する。（従来技術１）
図１１は、実用新案登録第３０２０３７９号公報に開示された落雪防止機能を有する屋根材の断面図である。図中右方向が棟方向（上方向）、左方向が軒方向（下方向）である。棟側に略Ｓ字状に表方向に突出した上縁被接部２００４が、上縁被接部２００４に連なる中央水平部２０１０が、中央水平部２０１０に連なって三角形状に表方向に突出した突起部２００２が、突起部２００２に連なる軒側水平部２００６が、軒側水平部２００６に連なり、軒側の縁に略Ｕ字状の下縁被接部２００１がそれぞれ形成されている。
【０００５】
したがって、棟側に設置された第一の屋根材の上縁被接部２００４に、第二の屋根材の下縁被接部２００１を嵌合して屋根を葺くことができる。また、突起部２００２の棟側面が積雪の滑動を静止することで落雪を防止し、さらに、軒側水平部２００６を下地面から離すことで空気層を確保している。（従来技術２）
図１２は、特開２０００−２８２６３０号公報に開示された落雪阻止機能を有する横葺用長尺屋根板の一部を示す斜視図である。図中左方向が棟方向（上方向）、右方向が軒方向（下方向）である。棟側の縁に略垂直に折り曲げられた補強用立上部３０１１が、補強用立上部３０１１に連なる所定幅の先端水平部３０２１が、先端水平部３０２１に連なるU字状の棟側被接部３００２が、棟側被接部３００２に連なる中央水平部３０２２が、中央水平部３０２２に連なる台形状の落雪阻止用突出部３００５が、落雪阻止用突出部３００５に連なる軒側水平部３０２３が、軒側水平部３０２３の軒側の縁部にU字状の軒側被接部３００１がそれぞれ形成されている。
【０００６】
したがって、棟側に設置された第一の屋根材の棟側被接部３００２に、第二の屋根材の軒側被接部３００１を嵌合して屋根を葺くことができる。また、嵌着した補強用立上部３０１１により補剛された落雪阻止用突出部３００５が落雪阻止機能を発揮する。（従来技術３）
【０００７】
【発明が解決しようとする課題】
しかしながら、従来技術においては、積雪の滑落圧を支える突起部１００２、２００２あるいは落雪阻止用突出部３００５（以下、立ち上がり部と総称する）の軒側（下方）に軒側水平部１００６、２００６あるいは３０２３を有し、軒側水平部１００６、２００６あるいは３０２３の軒側の縁に下縁被接部１００１、２００１あるいは軒側被接部３００１（以下、軒側嵌合部と総称する）が配置されているため、以下のような問題があった。
【０００８】
図１３は、従来技術における、立ち上がり部の状況を説明する断面図である。
図１３において、図中左方向が棟方向（上方向）、右方向が軒方向（下方向）であって、軒側に設置された第一の屋根材４０００の棟側嵌合部に、第二の屋根材５０００の軒側嵌合部を嵌合して屋根が葺かれている
前記棟側嵌合部は、略Ｓ字状であって、棟側の縁に設置された先端水平部４００１（図中、辺ａｂ）と、先端水平部４００１に連なって軒側に傾斜して表方向に曲げられた傾斜部４００２（図中、辺ｂｃ）と、傾斜部４００２に連なる棟側水平部４００３（図中、辺ｃｄ）と、棟側水平部４００３に連なって裏方向に曲げられた棟側垂直部４００４（図中、辺ｄｅ）と、棟側垂直部４００４に連なって棟方向および軒方向に曲げられた凹部４００５（図中、辺ｅｆと辺ｆｇにて形成されている）を有している。
【０００９】
一方、前記軒側嵌合部は、中央水平部５００６（図中、辺ｓｔ）と、中央水平部５００６に連なる立ち上がり部５００７（図中、辺ｔｕと辺ｕｖにて形成されている）と、立ち上がり部５００７に連なる軒側水平部５００８（図中、辺ｖｘ）と、軒側水平部５００８に連なって、裏方向に折り曲げられた軒側垂直部５００９（図中、辺ｘｙ）と、軒側に連なって、略棟方向に曲げられた突出部５０１０（図中、辺ｙｚ）を有している。
【００１０】
そして、凹部４００５に突出部５０１０が嵌合している、換言すると、軒側水平部５００８と軒側垂直部５００９と突出部５０１０によって形成された懐部（図中、辺ｖｘと辺ｘｙと辺ｙｚにて形成されている）に、棟側水平部４００３と棟側垂直部４００４と凹部４００５によって形成された突起部（図中、辺ｃｄと辺ｄｅと辺ｅｆにて形成されている）が嵌合され、凹部４００５の表側の面（図中、辺ｅｆ）に突出部５０１０（図中、辺ｙｘ）が水密的に当接している。
【００１１】
したがって、積雪が軒方向に滑動しようとすると、雪の荷重は立ち上がり部５００７に作用し、立ち上がり部５００７は、水平方向（軒側）に押出される力と，折り曲げ部ｔを支点として軒側に倒される力が働く。このとき、軒側水平部５００８は、軒方向に押し出される力を受け、突出部５０１０と凹部４００５の嵌合部に隙間を生じる応力が発生することになる。
【００１２】
さらに、屋根板を構成する原板の板厚が薄いために、屈曲部ｖが形状を保持した状態で、屈曲部ｖを支点として軒側水平部５００８の棟側部分が裏方向に沈み込む方向に回転し、該回転力の反力として、突出部５０１０の先端（図中、位置ｚ）が、開く方向の応力が発生する。
【００１３】
したがって、嵌合部が外れるまでには至らないが、嵌合部が若干開くことによって防水上の問題が生じる恐れがあり、この状態で，屋根面の雪が融解し，軒先で再凍結した場合には，すが漏れの危険が通常より高くなる。
【００１４】
なお、従来技術３にあるような、紐状の防水パッキン材を嵌合部に押し入れた場合においても、防水パッキン材の効果を低下させる方向の応力が作用するため、防水性が悪化する可能性があるとの問題は解消されない。
【００１５】
また，従来技術３において，軒側嵌合部３００１が横にスライドさせて嵌合させるのに適した形態であるのに対し，補強用立上部３０１１は垂直に構成され、垂直に設けられた立ち上がり部３００５内部に挿入する構造であるため，屋根材同士を嵌合する際、軒側嵌合部３００１の先端を引っかけ，補強用立上部３０１１を前方に倒すか、立ち上がり部３００５を開いてはめ込む等の方法で施工する必要が生じ，施工上の手間となる。また，立ち上がり部３００５の補剛により当該部分の倒れに対する強度は向上しているが、補強用立上部３０１１の板厚が屋根材同様薄く、かつ、前記嵌合部に発生する応力の向きは変わらないから，改善効果はあるものの、防水上の危険性を依然として内包している。
【００１６】
図１４は、従来技術における、屋根材に負圧が作用した場合の状況を模式的に説明する断面図である。図１４において、図中左方向が軒方向（下方向）、右方向が棟方向（上方向）であって、軒側から棟方向に向けて（図中、左から右に向けて）第一の屋根材６０００、第二の屋根材７０００、第三の屋根材８０００が葺かれている。
【００１７】
第一の屋根材６０００は、棟側の縁に設けた先端水平部６００１において、設置用釘６０２１により野地板９９９９に固定されている。
【００１８】
第二の屋根材７０００は、その軒側嵌合部７０３０が第一の屋根材６０００の棟側嵌合部６０２０に嵌合され、その棟側の縁に設けた先端水平部７００１において、設置用釘７０２１により野地板９９９９に固定されている。
【００１９】
第三の屋根材８０００は、その軒側嵌合部８０３０が第二の屋根材７０００の棟側嵌合部７０２０に嵌合されている。
【００２０】
したがって、第二の屋根材７０００は風圧力が負圧に作用した場合，棟側嵌合部７０２０および軒側嵌合部７０３０を支点として、太鼓状に変位する方向に荷重が作用する（図中、矢印にて示す）。このとき、変位量は，屋根材７０００の剛性が低いほど，支点間距離が大きいほど，支点の回転拘束力が弱いほど大きくなる。特に、これら支点の中間部に立ち上がり部７００５が設置され、また、板厚も薄いため、前記立ち上がり部に構造上変位および回転が自由な支点が存在することになり、立ち上がり部のないものと比較して変位量が増大する傾向にある。そのため、前記嵌合部の緩みないし変形のおそれが生じ、雨仕舞いの悪化あるいは屋根が破損するとの問題がある。
【００２１】
この発明は、以上の問題を解決するためになされたものであって、積雪時に屋根材相互の嵌合部に緩む方向の力が作用せず、また、耐風強度を向上させた、屋根材を提供することを目的とする。
【００２２】
【課題を解決するための手段】
このような課題を解決するため本発明の屋根材は、以下のとおりである。
【００２３】
［１］  棟側嵌合部および軒側嵌合部を有し、相互に嵌合させて形成する金属折板からなる横葺屋根用の屋根材であって、
棟側には、棟側の縁部に設置された先端水平部と、該先端水平部に連なって軒側に傾斜して表方向に曲げられた棟側傾斜部と、該棟側傾斜部に連なる棟側水平部と、該棟側水平部に連なって裏方向に曲げられた棟側垂直部と、該棟側垂直部に連なって棟方向および軒方向に曲げられた凹部と、該凹部に連なる中央水平部が形成され、
軒側には、前記中央水平部に連なって表方向に曲げられた立ち上がり部と、該立ち上がり部に連なって裏方向に曲げ戻された立ち下がり部と、該立ち下がり部に連なって表方向に曲げ戻された軒側傾斜部と、該軒側傾斜部に連なる軒側水平部と、該軒側水平部に連なって裏方向に曲げられた軒側垂直部と、該軒側垂直部に連なって棟方向に曲げられた突出部が形成され、
一方の屋根材の前記凹部に他方の屋根材の前記突出部が嵌合自在であって、
一方の屋根材の前記凹部に他方の屋根材の前記突出部が嵌合した際、一方の屋根材の前記棟側傾斜部に他方の屋根材の前記軒側傾斜部が当接することを特徴とするものである。
【００２４】
［２］  前記［１］において、一方の屋根材の前記棟側傾斜部に他方の屋根材の前記軒側傾斜部が当接した際、一方の屋根材の前記棟側傾斜部の法線に対し、他方の屋根材の前記立ち下がり部が、表側に傾斜することを特徴とするものである。
【００２５】
［３］  棟側嵌合部および軒側嵌合部を有し、相互に嵌合させて形成する金属折板からなる横葺屋根用の屋根材であって、
棟側には、棟側の縁部に設置された先端水平部と、該先端水平部に連なって軒側に傾斜して表方向に曲げられた棟側傾斜部と、該棟側傾斜部に連なる棟側水平部と、該棟側水平部に連なって裏方向に曲げられた棟側垂直部と、該棟側垂直部に連なって棟方向および軒方向に曲げられた凹部と、該凹部に連なる中央水平部が形成され、前記棟側水平部が裏方向に略円弧状または略Ｖ字状または略台形状に陥没する棟側陥没部を具備し、
軒側には、前記中央水平部に連なって表方向に曲げられた立ち上がり部と、該立ち上がり部に連なって裏方向に曲げ戻された立ち下がり部と、該立ち下がり部に連なって表方向に曲げ戻された軒側傾斜部と、該軒側傾斜部に連なる軒側水平部と、該軒側水平部に連なって裏方向に曲げられた軒側垂直部と、該軒側垂直部に連なって棟方向に曲げられた突出部が形成され、
一方の屋根材の前記凹部に他方の屋根材の前記突出部が嵌合自在であって、
一方の屋根材の前記凹部に他方の屋根材の前記突出部が嵌合した際、一方の屋根材の前記棟側陥没部に、他方の屋根材の前記立ち下り部と前記軒側傾斜部が形成する屈曲部が嵌合することを特徴とする屋根材。
［４］  前記［１］〜［３］の何れかにおいて、前記立ち下り部と前記軒側傾斜部が形成する屈曲部が、裏方向に陥没する略円弧状または略Ｖ字状または略台形状であること特徴とするものである。
［５］  前記［１］〜［４］の何れかにおいて、棟側の縁部に略Ｕ字状または略Ｖ字状の先端嵌合部と、前記棟側嵌合部と前記立ち上がり部の間に、略Ｓ字状の中央嵌合部を有し、一方の屋根材の前記先端嵌合部に他方の屋根材の中央嵌合部が嵌合自在であることを特徴とするものである。
［６］  前記［１］〜［５］の何れかにおいて、前記凹部に、水密用の棒状体が配置されたことを特徴とする請求項１〜５に何れかに記載の屋根材。
【００２６】
【発明の実施の形態】
［実施の形態１］
（屋根材）
図１は、本発明に係わる屋根材の一実施の形態を示す幅方向の断面図であって、左方向が棟方向、右方向が軒方向、上方向が表方向、下方向が裏方向（野地板側）である。なお、以下の説明において、図１に示す実施の形態と同じ部分には、符号の下二桁に図１と同じ符号を付し、一部の説明を省略する。
【００２７】
図１において、棟側には、棟側の縁に先端水平部１（図中、辺ＡＢ）と、先端水平部１に連なって軒側に傾斜して表方向に曲げられた棟側傾斜部２（図中、辺ＢＣ）と、棟側傾斜部２に連なる棟側水平部３（図中、辺ＣＤ）と、棟側水平部３に連なって裏方向に曲げられた棟側垂直部４（図中、辺ＤＥ）と、棟側垂直部４に連なって棟方向および軒方向に曲げられた凹部５（図中、辺ＥＦと辺ＦＧにて形成されている）と、凹部５に連なる中央水平部６（図中、辺ＧＴ）が形成されている。
【００２８】
軒側には、中央水平部６に連なって表方向に略垂直に曲げられた立ち上がり部７と（図中、辺ＴＵ）と、立ち上がり部７に連なって裏方向に曲げ戻された立ち下がり部８（図中、辺ＵＶ）と、立ち下がり部８に連なって表方向に曲げ戻された軒側傾斜部９（図中、辺ＶＷ）と、軒側傾斜部９の連なる軒側水平部１０（図中、辺ＷＸ）と、軒側水平部１０に連なって裏方向に曲げられた軒側垂直部１１（図中、辺ＸＹ）と、軒側垂直部１１に連なって棟方向に曲げられた突出部１２（図中、辺ＹＺ）が形成されている。
【００２９】
そして、一方の屋根材の前記凹部５に、他方の屋根材の突出部１２が嵌合自在である。換言すると、他方の屋根材の軒側傾斜部９と軒側水平部１０と軒側垂直部１１と突出部１２によって形成された軒側懐部（図中、辺ＶＷと辺ＷＸと辺ＸＹと辺ＹＺにて形成されている）に、一方の屋根材の棟側傾斜部２と棟側水平部３と棟側垂直部４と凹部５によって形成された棟側突起部（図中、辺ＢＣと辺ＣＤと辺ＤＥと辺ＥＦにて形成されている）が、嵌合自在である。そして、該嵌合状態において、一方の屋根材の棟側傾斜部２に、他方の屋根材の軒側傾斜部９が当接する。
【００３０】
また、本発明は、該嵌合状態において、一方の屋根材の棟側水平部３の表面に、他方の屋根材の軒側水平部１０の裏面が当接することが望ましい。棟側水平部３の表面と他方の屋根材の軒側水平部１０の裏面の間に隙間があってもよいが，この場合は、軒側傾斜部９の当接長さを長くするとよい。
【００３１】
さらに、本発明は軒側傾斜部９を平面に限定するものではなく、円弧状，多角形状であっても良い。また，折り曲げ位置Vは，立ち下がり部８と軒側傾斜部９により、裏方向に突出する陥没部を形成する限り、Ｕ字状あるいはＶ字状あるいは台形状であってもよい。そして、棟側傾斜部２は軒側傾斜部９に当接かつ係止自在な略相似形状にすることができる。
【００３２】
さらに、本発明は棟側水平部３および軒側水平部１０が、中央水平部６に略平行であるものに限定するものではなく、軒側に傾斜してもよい。
【００３３】
なお、突出部１２の先端縁（図中、位置Z）は、略U字状に折り返したものに限定するものではなく、略L字状、略Ｓ字状、その他の形状であってもよい。また、先端水平部１の先端縁（図中、位置Ａ）は、平坦な一枚板に限定するものではなく、略L字状に折り曲げたもの、あるいは略U字状ないし略Ｖ字状に折り返したものであってもよい。
【００３４】
さらに、立ち上がり部７は中央水平部６に対し略直角あるいは棟側に鋭角に傾斜してもよく、一方、立ち下がり部８が中央水平部６に対し略垂直であってもよい。また、立ち上がり部７および立ち下り部８により構成される突出部は三角形状でも台形状でもよい。
【００３５】
さらに、立ち上がり部７または立ち下がり部８が平面により形成されたものに限定するものではなく、円弧状であってもよい。
【００３６】
（施工方法）
図２は、本発明に係わる屋根材の一実施の形態を施工する方法を示す幅方向の断面図であって、左方向が棟方向、右方向が軒方向である。なお、図２中の符号の下二桁は、図１で説明したものと同じ部分については、図１と同じ符号を付し、一部の説明を省略する。
【００３７】
図２の（a）において、第一の屋根材１００が野地板９９９に葺かれている。このとき、先端水平部１０１において、設置用釘１１３が、第一の屋根材１００を貫通して野地板９９９に打設されている。そして、第二の屋根材２００が第一の屋根材１００の棟側に配置される。
【００３８】
図２の（b）において、第一の屋根材１００の棟側水平部１０３の上に、第二の屋根材２００の軒側傾斜部２０９の裏方向の端部（図中、位置Ｖ）が当接し、第一の屋根材１００の凹部１０５の近くに、第二の屋根材２００の突出部２１２を配置する。
【００３９】
図２の（c）において、第二の屋根材２００を裏方向に押し込んで棟方向に移動させることにより、第一の屋根材１００の凹部１０５に第二の屋根材２００の突出部２１２を嵌入させる。該嵌入は、屋根材の板厚が薄いため，その弾性変形およびスプリングバックによって容易にできる。
【００４０】
このとき、第一の屋根材１００の棟側傾斜部１０２の表面（図中、辺ＢＣ）と第二の屋根材２００の軒側傾斜部２０９の裏面（図中、辺ＶＷ）が当接し、また、第一の屋根材１００の凹部１０５（図中、辺ＥＦ）に第二の屋根材２００の突出部２１２（図中、辺ＹＺ）が当接している。そして、図示しない先端水平部２０１において、図示しない設置用釘２１３を、第二の屋根材２００を貫通して野地板９９９に打設する。
（作用）
図３は、本発明に係わる屋根材の一実施の形態における作用を説明する幅方向の断面図であって、左方向が棟方向、右方向が軒方向）である。なお、図３中の符号の下二桁は、図１で説明したものと同じ部分については、図１と同じ符号を付し、一部の説明を省略する。
【００４１】
図３において、積雪が軒方向に滑動しようとすると、雪の荷重（図中、矢印にて表示）は第二の屋根材２００の立ち上がり部２０７に作用し、立ち上がり部２０７は、折り曲げ位置Ｔを支点として軒側に倒される方向に応力が発生する。
【００４２】
このとき、第二の屋根の軒側傾斜部２０９が、第一の屋根材１００の棟側傾斜部１０２に係止しているから、折り曲げ位置Ｖおよび軒側水平部２１０の沈み込みおよび水平方向の移動が拘束されるため、第一の屋根材１００の凹部１０５と第二の屋根材２００の突出部２１２の嵌合部を開く方向の応力の発生を抑制する。すなわち、雪の荷重により、第一の屋根材１００と第二の屋根材２００の嵌合部が緩むことがなく、水密性が保証される。
【００４３】
［実施の形態２］
（屋根材）
図４は、本発明に係わる屋根材の他の実施の形態を示す幅方向の断面図であって、左方向が棟方向（上方向）、右方向が軒方向（下方向）である。なお、以下説明において、図１に示す実施の形態と同じ部分には、符号の下二桁に図１と同じ符号を付し、一部の説明を省略する。
【００４４】
図４において、棟側には、棟側の縁に先端水平部１（図中、辺ＡＢ）と、先端水平部１に連なって軒側に傾斜して表方向に曲げられた棟側傾斜部２（図中、辺ＢＣ）と棟側傾斜部２に連なる棟側水平部３（図中、辺ＣＤ）と、棟側水平部３に連なって裏方向に曲げられた棟側垂直部４（図中、辺ＤＥ）と、棟側垂直部４に連なって棟方向および軒方向に曲げられた凹部５（図中、辺ＥＦと辺ＦＧにて形成されている）と、凹部５に連なる中央水平部６（図中、辺ＧＴ）が形成されている。さらに、棟側水平部３には、裏方向に陥没する棟側陥没部２０が形成されている。
【００４５】
軒側には、中央水平部６に連なって表方向に略垂直に曲げられた立ち上がり部７と（図中、辺ＴＵ）と、立ち上がり部７に連なって裏方向に曲げ戻された立ち下がり部８（図中、辺ＵＶ）と、立ち下がり部８に連なって表方向に曲げ戻された軒側傾斜部９（図中、辺ＶＷ）と、軒側傾斜部９の連なる軒側水平部１０（図中、辺ＷＸ）と、軒側水平部１０に連なって裏方向に曲げられた軒側垂直部１１（図中、辺ＸＹ）と、軒側垂直部１１に連なって棟方向に曲げられた突出部１２（図中、辺ＹＺ）が形成されている。すなわち、立ち下がり部８の裏方向に端部（図中、位置Ｖ）近くと軒側傾斜部９により、裏方向に陥没する軒側陥没部３０が形成されている。
【００４６】
そして、一方の屋根材の前記凹部５に、他方の屋根材の突出部１２が嵌合自在である。換言すると、他方の屋根材の軒側傾斜部９と軒側水平部１０と軒側垂直部１１と突出部１２によって形成された軒側懐部（図中、辺ＶＷと辺ＷＸと辺ＸＹと辺ＹＺにて形成されている）に、一方の屋根材の棟側傾斜部２と棟側水平部３と棟側垂直部４と凹部５によって形成された棟側突起部（図中、辺ＢＣと辺ＣＤと辺ＤＥと辺ＥＦにて形成されている）が、嵌合自在である。
【００４７】
そして、該嵌合状態において、一方の屋根材の棟側陥没部２０に、他方の屋根材の軒側陥没部３０が嵌合自在である。
【００４８】
なお、本発明は軒側陥没部３０を略平面より形成されたものに限定するものではなく、軒側水平部１０よりも裏方向に陥没する限り、円弧状、Ｕ字状、Ｖ字状あるいは台形状など何れであってもよい。また、棟側陥没部２０は、軒側陥没部３０を嵌合自在である限り、その形状は何れであってもよい。
【００４９】
また、本発明は、該嵌合状態において、一方の屋根材の棟側水平部３の表面に、他方の屋根材の軒側水平部８の裏面が当接するのが望ましい。
【００５０】
さらに、本発明は棟側水平部３および軒側水平部１０が、中央水平部６に略平行であるものに限定するものではなく、軒側に傾斜してもよい。
【００５１】
なお、突出部１２の先端縁（図中、位置Z）は、略U字状に折り返したものに限定するものではなく、略L字状、略Ｓ字状またはその他の形状であってもよい。また、先端水平部１の先端縁（図中、位置Ａ）は、略L字状に折り曲げたものに限定するものではなく、略U字状または略Ｖ字状に折り返しても、あるいは平坦な一枚板のままであってもよい。
【００５２】
さらに、立ち上がり部７は中央水平部６に対し棟側に鋭角に傾斜してもよく、一方、立ち下がり部８が中央水平部６に対し略垂直であってもよい。さらに、立ち上がり部７または立ち下がり部８が平面により形成されたものに限定するものではなく、円弧状であってもよい。また、立ち上がり部７および立ち下り部８により構成される突出部は三角形状でも台形状でもよい。
【００５３】
（施工方法）
図５は、本発明に係わる屋根材の他の実施の形態を施工する方法を示す幅方向の断面図であって、左方向が棟方向（上方向）、右方向が軒方向（下方向）である。なお、図５中の符号の下二桁は、図１で説明したものと同じ部分については、図１と同じ符号を付し、一部の説明を省略する。
【００５４】
図５の（a）において、第一の屋根材３００が野地板９９９に葺かれている。このとき、先端水平部３０１において、設置用釘３１３が、第一の屋根材３００を貫通して野地板９９９に打設されている。そして、第二の屋根材４００が第一の屋根材３００の棟側に配置される。
【００５５】
図５の（b）において、第一の屋根材３００の棟側水平部３０３の上に、第二の屋根材４００の軒側陥没部４３０の裏方向の端部(図中、曲げ戻し位置Ｖ)が当接し、第一の屋根材３００の凹部３０５の近くに、第二の屋根材４００の突出部４１２を配置する。
【００５６】
図５の（c）において、第二の屋根材４００を裏方向に押し込んで棟方向に移動させることにより、第一の屋根材３００の凹部３０５に第二の屋根材４００の突出部４１２を嵌入させ、同時に、第一の屋根材３００の棟側陥没部３２０に第二の屋根材４００の軒側陥没部４３０を嵌合させる。該嵌合は、第二の屋根材４００の板厚が薄いため，その弾性変形およびスプリングバックによって容易にできる。
【００５７】
このとき、第一の屋根材３００の棟側陥没部３２０の表面と第二の屋根材４００の軒側陥没部４３０の裏面が当接し、また、第一の屋根材３００の凹部３０５（図中、辺ＥＦ）に第二の屋根材４００の突出部４１２（図中、辺ＹＺ）が嵌合している。そして、図示しない先端水平部４０１において、図示しない設置用釘４１３を、第二の屋根材４００を貫通して野地板９９９に打設する。
（作用）
図６は、本発明に係わる屋根材の他の実施の形態における作用を説明する幅方向の断面図であって、左方向が棟方向、右方向が軒方向である。なお、図６中の符号の下二桁は、図１で説明したものと同じ部分については、図１と同じ符号を付し、一部の説明を省略する。
【００５８】
図６において、積雪が軒方向に滑動しようとすると、雪の荷重（図中、矢印にて表示）は第二の屋根材４００の立ち上がり部４０７に作用し、立ち上がり部４０７は、折り曲げ位置Ｔを支点として軒側に倒される方向に応力が発生する。
【００５９】
このとき、第二の屋根の軒側陥没部４３０が、第一の屋根材３００の棟側陥没部３２０に嵌合しているから、折り曲げ位置Ｖは、回転以外の水平方向の移動および沈み込みが拘束され、軒側陥没部４３０は構造計算上，変位が拘束された単純なピン支点となる。したがって、第一の屋根材３００の凹部３０５と第三の屋根材４００の突出部４１２の嵌合部が開く方向の応力の発生を抑制する。
【００６０】
すなわち、雪の荷重により、第一の屋根材３００と第二の屋根材４００の嵌合部が緩むことがなく、水密性が保証される。
［実施の形態３］
（屋根材）
図７は、本発明に係わる屋根材の他の実施の形態を示す幅方向の断面図であって、左方向が棟方向（上方向）、右方向が軒方向（下方向）であるなお、図１で説明した実施の形態１と同じ部分には、図１と同じ符号を付し、一部の説明を省略する。
【００６１】
図７の（ａ）は、図１（実施の形態１）に示す屋根材において、棟側の先端縁に先端嵌合部４０が、凹部５と立ち上がり部７の間に中央嵌合部５０がそれぞれ配置されている。
【００６２】
すなわち、先端嵌合部４０は、先端水平部１（図中、辺ＡＢ）の一部と、先端水平部１の棟側の先端縁で表方向に向けて曲げられた先端垂直部４１（図中、辺ＡＮ）と、先端垂直部４１に連なり軒側に折り返された先端折り返し部４２（図中、辺ＮＯ）により形成されている。
【００６３】
そして、中央嵌合部５０は、中央水平部６の棟側の部分（図中、辺ＧＨ）に連なり軒側に傾斜して表方向に曲げられた中央傾斜部５２（図中、辺ＨＩ）と中央傾斜部５２に連なる中央水平部５３（図中、辺ＩＪ）と、中央水平部５３に連なって裏方向に曲げられた中央垂直部５４（図中、辺ＪＫ）と、中央垂直部５４に連なって棟方向および軒方向に曲げられた中央突出部５５（図中、辺ＫＬと辺ＬＭにて形成されている）により形成されている。なお、中央突出部５５の裏側の面（図中、辺ＬＭ）は、中央水平部６の軒側の部分（図中、辺ＭＴ）に連なっている。
【００６４】
このとき、先端垂直部４１と棟側垂直部４との水平距離（図中、水平距離ＡＥ）が、中央突出部５５の先端と軒側垂直部１１との水平距離（図中、水平距離ＬＹ）に略等しい。したがって、一方の屋根材の凹部５に他方の屋根材の突出部１２が嵌合自在した際、同時に、一方の屋根材の先端嵌合部４０に他方の屋根材の中央突出部５５がそれぞれ嵌合自在である。
【００６５】
なお、中央突出部５５は、先端折り返し部４２の表側の面（図中、辺ＮＯ）または先端水平部１（図中、辺ＡＢ）の一部の何れに当接してもよい。また、これに代えて、先端折り返し部４２（図中、辺ＮＯ）が、中央嵌合部５０の中央水平部５３（図中、辺ＩＪ）または中央突出部５５の表側の面（図中、辺ＫＬ）の何れにかに当接してもよい。換言すると、先端嵌合部４０の懐に中央突出部５５が嵌合すると、あるいは、中央嵌合部５０の中央水平部５３と中央垂直部５４と中央突出部５５により形成された懐に先端折り返し部４２が嵌合すると、何れに捉えてもよい。
【００６６】
図７の（ｂ）は、図４（実施の形態２）に示す屋根材において、棟側の先端縁に先端嵌合部４０および中央嵌合部５０を配置したものである。なお、図４で説明した実施の形態２ならびに、図７の（ａ）と同じ部分には、これと同じ符号を付し、一部の説明を省略する。
【００６７】
すなわち、一方の屋根材の凹部５および先端嵌合部４０に、他方の屋根材の突出部１２および中央突出部５５がそれぞれ嵌合自在であり、同時に、一方の屋根材の棟側陥没部２０に、他方の屋根材の軒側陥没部３０が嵌合自在である。
（施工方法）
図８は、本発明に係わる屋根材の他の実施の形態を施工する方法を示す幅方向の断面図であって、左方向が棟方向、右方向が軒方向である。なお、図８中の符号の下二桁は、図７で説明したものと同じ部分については、図７と同じ符号を付し、一部の説明を省略する。
【００６８】
図８の（a）において、第一の屋根材５００が野地板９９９に葺かれている。このとき、先端水平部５０１において、設置用釘５１３が、第一の屋根材５００を貫通して野地板９９９に打設されている。そして、第二の屋根材６００が第一の屋根材３００の棟側に配置される。
【００６９】
図８の（b）において、第一の屋根材５００の棟側水平部５０３の上に、第二の屋根材６００の軒側傾斜部６０９の裏方向の端部(図中、位置Ｖ)が当接し、第一の屋根材５００の凹部５０５の近くに、第二の屋根材６００の突出部６１２を配置し、そして、第一の屋根材５００の先端水平部５０１の上に、第二の屋根材６００の中央嵌合部６５０の裏方向の面（図中、辺ＬＭ）を載置する。
【００７０】
図８の（c）において、第二の屋根材６００を裏方向に押し込んで棟方向に移動させることにより、第一の屋根材５００の凹部５０５に第二の屋根材６００の突出部６１２を嵌入させ、同時に、第一の屋根材５００の棟側傾斜部５０２に第二の屋根材６００の軒側傾斜部６０９を当接させ、かつ、第一の屋根材５００の先端嵌合部５４０に、第二の屋根材６００の中央嵌合部６５０を嵌合する。該嵌合は、第二の屋根材６００の板厚が薄いため，弾性変形およびスプリングバックによって容易にできる。
【００７１】
このとき、第一の屋根材５００の棟側傾斜部５０２の表面（図中、辺ＢＣ）と第二の屋根材６００の軒側傾斜６０９の裏面（図中、辺ＶＷ）が当接し、また、第一の屋根材５００の凹部５０５（図中、辺ＥＦ）に第二の屋根材６００の突出部６１２（図中、辺ＹＺ）が当接している。そして、図示しない先端水平部６０１において、図示しない設置用釘６１３を、第二の屋根材６００を貫通して野地板９９９に打設する。
（作用）
図９は、本発明に係わる屋根材の他の実施の形態における作用を説明する幅方向の断面図であって、左方向が棟方向、右方向が軒方向である。なお、図９中の符号の下二桁は、図１で説明したものと同じ部分については、図１と同じ符号を付し、一部の説明を省略する。
【００７２】
図９において、軒側から棟方向に向けて第一の屋根材５００、第二の屋根材６００、第三の屋根材７００が葺かれている。
【００７３】
第一の屋根材５００は、先端水平部５０１において、設置用釘５１３により野地板９９９に固定されている。
【００７４】
第二の屋根材６００は、その突出部６１２および中央突出部６５５が、第一の屋根材５００の凹部５０５および先端嵌合部５４０にそれぞれ嵌合し、先端水平部６０１において、設置用釘６１３により野地板９９９に固定されている。
【００７５】
第三の屋根材７００は、その突出部７１２および中央突出部７５５が、第二の屋根材６００の凹部６０５および先端嵌合部６４０にそれぞれ嵌合し、図示しない先端水平部７０１において、図示しない設置用釘７１３により野地板９９９に固定されている。
【００７６】
したがって、第二の屋根材６００は風圧力が負圧に作用した場合，凹部６０５と中央嵌合部６５０を支点として、太鼓状に変位する方向に荷重（図中、矢印にて表示）が作用する。なお、仮に中央嵌合部６５０が配置されていない場合には、凹部６０５と突出部６１２を支点として太鼓状に変位することになるから、中央嵌合部６５０が配置されたことにより、該支点間距離が大幅に減少し、前記変位量が減少する。よって、前記嵌合部の緩みないし変形のおそれが減少し、雨仕舞いの悪化や屋根の破損の問題が解消する。
【００７７】
【発明の効果】
以上述べた本発明の屋根材によれば、以下のような顕著な効果が得られる。
１）雪の荷重により、屋根材同士の嵌合部が、より緊密に嵌合する力を受けるため、水密性が保証され、すが漏れのおそれが低減する。
２）幅方向の二箇所で嵌合する場合には、風圧力が負圧に作用した際、太鼓状の変位が抑えられため、強風時に嵌合部の緩みないし変形のおそれが減少し、雨仕舞いの悪化や屋根が破損するおそれが低減する。
【図面の簡単な説明】
【図１】本発明に係わる屋根材の一実施の形態を示す幅方向の断面図である。
【図２】本発明に係わる屋根材の一実施の形態を施工する方法を示す幅方向の断面図である。
【図３】本発明に係わる屋根材の一実施の形態における作用を説明する幅方向の断面図である。
【図４】本発明に係わる屋根材の他の実施の形態を示す幅方向の断面図である。
【図５】本発明に係わる屋根材の他の実施の形態を施工する方法を示す幅方向の断面図である。
【図６】本発明に係わる屋根材の他の実施の形態における作用を説明する幅方向の断面である。
【図７】本発明に係わる屋根材の他の実施の形態を示す幅方向の断面図である。
【図８】本発明に係わる屋根材の他の実施の形態を施工する方法を示す幅方向の断面図である。
【図９】本発明に係わる屋根材の他の実施の形態における作用を説明する幅方向の断面図である。
【図１０】従来の落雪防止機能を有する屋根材の断面図である。
【図１１】従来の落雪防止機能を有する屋根材の断面図である。
【図１２】従来の落雪阻止機能を有する横葺用長尺屋根板一部を示す斜視図である。
【図１３】従来技術における、立ち上がり部の状況を説明する断面図である。
【図１４】従来技術における、屋根材に負圧が作用した場合の状況を模式的に説明する断面図である。
【符号の説明】
１    先端水平部
２    棟側傾斜部
３    棟側水平部
４    棟側垂直部
５    凹部
６    中央水平部
７    立ち上がり部
８    立ち下がり部
９    軒側傾斜部
１０  軒側水平部
１１  軒側垂直部
１２  突出部
２０  棟側陥没部
３０  軒側陥没部
４０  先端嵌合部
４１  先端垂直部
４２  先端折り返し部
５０  中央嵌合部
５２  中央傾斜部
５３  中央水平部
５４  中央垂直部
５５  中央突出部
１００  第一の屋根材
１０１  先端水平部
１０２  棟側傾斜部
１０３  棟側水平部
１０４  棟側垂直部
１０５  凹部
１０６  中央水平部
１１３  設置用釘
２００  第二の屋根材
２０１  先端水平部
２０６  中央水平部
２０７  立ち上がり部
２０８  立ち下がり部
２０９  軒側傾斜部
２１０  軒側水平部
２１１  軒側垂直部
２１２  突出部
２１３  設置用釘
３００  第一の屋根材
３０１  先端水平部
３０２  棟側傾斜部
３０３  棟側水平部
３０４  棟側垂直部
３０５  凹部
３１３  設置用釘
３２０  棟側陥没部
４００  第二の屋根材
４０１  先端水平部
４０６  中央水平部
４０７  立ち上がり部
４０８  立ち下がり部
４０９  軒側傾斜部
４１０  軒側水平部
４１１  軒側垂直部
４１２  突出部
４１３  設置用釘
５００  第一の屋根材
５０１  先端水平部
５０２  棟側傾斜部
５０３  棟側水平部
５０４  棟側垂直部
５０５  凹部
５１３  設置用釘
５４０  先端嵌合部
６００  第二の屋根材
６０１  先端水平部
６０６  中央水平部
６０７  立ち上がり部
６０８  立ち下がり部
６０９  軒側傾斜部
６１０  軒側水平部
６１１  軒側垂直部
６１２  突出部
６４０  先端嵌合部
６５０  中央嵌合部
７００  第三の屋根材
７０１  先端水平部
７０６  中央水平部
７１２  突出部
７１３  設置用釘
７５５  中央突出部
９９９  野地板
【図１】
0004670212.tif 000002
【図２】
0004670212.tif 000003
【図３】
0004670212.tif 000004
【図４】
0004670212.tif 000005
【図５】
0004670212.tif 000006
【図６】
0004670212.tif 000007
【図７】
0004670212.tif 000008
【図８】
0004670212.tif 000009
【図９】
0004670212.tif 000010
【図１０】
0004670212.tif 000011
【図１１】
0004670212.tif 000012
【図１２】
0004670212.tif 000013
【図１３】
0004670212.tif 000014
【図１４】
0004670212.tif 000015